(57)【特許請求の範囲】
【請求項１】
伝送ユニットと、前記伝送ユニットに信号線を介して接続されたスイッチ用端末器、負荷を制御する負荷制御端末器とを備え、前記伝送ユニットより信号線に多重伝送方式で伝送される伝送信号により、前記スイッチ用端末器と前記負荷制御端末器とに対応付けて設定されたアドレスで特定される負荷を制御する遠隔監視制御システムにおいて、
通信ネットワーク網上に接続され、前記信号線と前記通信ネットワーク網とを相互接続させるインターフェース装置を介して、前記信号線に接続される当該遠隔監視制御システムを監視する監視装置を備え、
前記負荷制御端末器は、
前記負荷をオン状態とする動作時間を計測する動作時間計測手段と、
前記負荷を制御する開閉機構の開閉回数を計測する開閉回数計測手段と、
前記動作時間計測手段によって計測された動作時間、前記開閉回数計測手段によって計測された開閉回数の少なくともいずれか一方を前記インターフェース装置を介して前記監視装置に送信する第１の送信手段と、
前記監視装置から前記インターフェース装置を介して送信される制御信号に応じて、当該負荷制御端末器を制御する制御手段とを有し、
前記監視装置は、前記負荷制御端末器の第１の送信手段によって送信される前記動作時間、前記開閉回数の少なくともいずれか一方が、それぞれに対応した所定の値を超えたことに応じて、前記負荷制御端末器の制御手段に対する制御信号として、負荷を制御する機能を停止させるよう指示する機能停止信号を生成する信号生成手段と、
前記信号生成手段によって生成された機能停止信号を前記インターフェース装置を介して前記負荷制御端末器に送信する第２の送信手段とを有し、
前記負荷制御端末器は、前記負荷を制御する開閉機構近傍の温度を検出する近傍温度検出手段と、当該負荷制御端末器が設置された雰囲気の温度を検出する雰囲気温度検出手段と、前記近傍温度検出手段によって検出された開閉機構近傍の温度と、前記雰囲気温度検出手段によって検出された当該負荷制御端末器が設置された雰囲気の温度との温度差を算出する温度差算出手段とを有し、
前記制御手段は、前記温度差算出手段によって算出された温度差が所定の値を超えたことに応じて、当該負荷制御端末器の負荷を制御する機能を停止させるよう制御すること
を特徴とする遠隔監視制御システム。
【請求項２】
前記負荷制御端末器の制御手段は、
前記動作時間計測手段によって計測された動作時間、前記開閉回数計測手段によって計測された開閉回数の少なくともいずれか一方が、それぞれに対応した所定の値を超えたことに応じて、当該負荷制御端末器の負荷を制御する機能を停止させるよう制御すること
を特徴とする請求項１記載の遠隔監視制御システム。
【請求項３】
前記負荷制御端末器は、前記制御手段によって、当該負荷制御端末器の負荷を制御する機能を停止させるよう制御する場合に、当該負荷制御端末器の開閉機構、または当該負荷制御端末器によって制御される負荷の機器寿命であることを、前記インターフェース装置を介して前記監視装置に通知する機器寿命通知手段を有すること
を特徴とする請求項１又は２記載の遠隔監視制御システム。
【発明の詳細な説明】
【技術分野】
【０００１】
本発明は、時分割多重伝送方式によって伝送される所定の制御信号にて負荷を制御する遠隔監視制御システムに関する。
【背景技術】
【０００２】
負荷を制御する複数の制御端末器をそれぞれ一意に特定する固有のアドレスに対して、このアドレスを割り当てられた操作端末器のスイッチ操作に応じて、制御データを含む制御信号を多重伝送方式により送信することで、制御端末器に接続された負荷を制御する遠隔制御（遠隔監視制御）を行う遠隔監視制御システムが考案されている。
【０００３】
この遠隔監視制御システムは、例えば、店舗や工場、倉庫などといった広い空間に設けられた負荷である複数の照明器具を集中制御することができる照明制御システムである。このような、照明制御システムは、複数の照明器具をワイヤレス送信器で自在に遠隔操作したり、複数の照明器具の点灯、非点灯を一括して制御することができるユーザ利便性の高い制御システムとなっている。
【０００４】
ところで、このような照明制御システムでは、負荷である照明器具を長期間使用することによって発生する経年劣化に対して事前に対処するための機能を備えている。具体的には、負荷を接続された制御端末器において、負荷の動作時間を計測したり、リレーの開閉回数をカウントし、その情報を照明制御システムを遠隔監視する上位装置に通知することにより、経年劣化を随時、確認することができるようになっている。システム管理者は、上位装置に通知されたこのような情報を参照することで、負荷である照明器具や負荷を接続された制御端末器の交換時期をおおよそ把握することができる。
【０００５】
このように、なんらかの電気部品に異常が発生したと判断された場合に、通信部を通じてホストコンピュータなどの上位装置にその旨を通知する技術が考案されている（例えば、特許文献１参照。）。
【特許文献１】特開２００６−３０２０８６号公報
【発明の開示】
【発明が解決しようとする課題】
【０００６】
しかしながら、従来の照明制御システムにおいて負荷の動作時間を計測した値、リレーの開閉回数をカウントした値を上位装置に通知する手法では、照明制御システムを管理するシステム管理者は、消耗部品のおおよその交換時期を把握することができるものの、実際に交換作業しなかった場合には、そのまま経年劣化した電気部品が使用されてしまうといった問題がある。経年劣化した電気部品をそのまま使用した場合、システムの正常な動作を妨げるばかりではなく、安全性の観点からも様々な問題を招来してしまうことになる。
【０００７】
このような問題を解決するために、上位装置によって、制御端末器が送信される消耗部品の劣化状態に応じて、照明制御システムを構成する操作端末器のスイッチ操作を無効とするように制御することが考えられる。
【０００８】
しかしながら、ユーザによってスイッチ操作がなされる操作端末器は、照明制御システムを構成し多重伝送方式による負荷制御を要求することができるように接続されているばかりではなく、照明制御システムに対してローカルとなるように制御端末器に接続されている場合もある。このように照明制御システムに対してローカルとなるように接続された操作端末器が存在する場合、負荷である照明器具、負荷に接続された制御端末器の劣化が上位装置に通知されたことに応じて、操作端末器による操作を無効とするように制御したとしても、ローカルとなるように接続された操作端末器によるスイッチ操作を無効とすることができないため、経年劣化した制御端末器や照明器具に対する動作要求がなされてしまうといった問題がある。
【０００９】
そこで、本発明は、上述した実情に鑑みて提案されたものであり、当該遠隔監視制御システムを構成する負荷制御端末器、負荷を所定の期間、使用することによって生ずる経年劣化が検出されたことに応じて、当該遠隔監視制御システムの利用制限を確実に実行することができる遠隔監視制御システムを提供することを目的とする。
【課題を解決するための手段】
【００１０】
本発明の遠隔監視制御システムは、伝送ユニットと、前記伝送ユニットに信号線を介して接続されたスイッチ用端末器、負荷を制御する負荷制御端末器とを備え、前記伝送ユニットより信号線に多重伝送方式で伝送される伝送信号により、前記スイッチ用端末器と前記負荷制御端末器とに対応付けて設定されたアドレスで特定される負荷を制御する遠隔監視制御システムにおいて、通信ネットワーク網上に接続され、前記信号線と前記通信ネットワーク網とを相互接続させるインターフェース装置を介して、前記信号線に接続される当該遠隔監視制御システムを監視する監視装置を備え、前記負荷制御端末器が、前記負荷をオン状態とする動作時間を計測する動作時間計測手段と、前記負荷を制御する開閉機構の開閉回数を計測する開閉回数計測手段と、前記動作時間計測手段によって計測された動作時間、前記開閉回数計測手段によって計測された開閉回数の少なくともいずれか一方を前記インターフェース装置を介して前記監視装置に送信する第１の送信手段と、前記監視装置から前記インターフェース装置を介して送信される制御信号に応じて、当該負荷制御端末器を制御する制御手段とを有し、前記監視装置が、前記負荷制御端末器の第１の送信手段によって送信される前記動作時間、前記開閉回数の少なくともいずれか一方が、それぞれに対応した所定の値を超えたことに応じて、前記負荷制御端末器の制御手段に対する制御信号として、負荷を制御する機能を停止させるよう指示する機能停止信号を生成する信号生成手段と、前記信号生成手段によって生成された機能停止信号を前記インターフェース装置を介して前記負荷制御端末器に送信する第２の送信手段とを有し、前記負荷制御端末器は、前記負荷を制御する開閉機構近傍の温度を検出する近傍温度検出手段と、当該負荷制御端末器が設置された雰囲気の温度を検出する雰囲気温度検出手段と、前記近傍温度検出手段によって検出された開閉機構近傍の温度と、前記雰囲気温度検出手段によって検出された当該負荷制御端末器が設置された雰囲気の温度との温度差を算出する温度差算出手段とを有し、前記制御手段は、前記温度差算出手段によって算出された温度差が所定の値を超えたことに応じて、当該負荷制御端末器の負荷を制御する機能を停止させるよう制御することを特徴とする。
【００１１】
また、本発明の遠隔監視制御システムは、前記負荷制御端末器の制御手段が、前記動作時間計測手段によって計測された動作時間、前記開閉回数計測手段によって計測された開閉回数の少なくともいずれか一方が、それぞれに対応した所定の値を超えたことに応じて、当該負荷制御端末器の負荷を制御する機能を停止させるよう制御することを特徴とする。
【００１４】
また、本発明の遠隔監視制御システムは、前記負荷制御端末器が、前記制御手段によって、当該負荷制御端末器の負荷を制御する機能を停止させるよう制御する場合に、当該負荷制御端末器の開閉機構、または当該負荷制御端末器によって制御される負荷の機器寿命であることを、前記インターフェース装置を介して前記監視装置に通知する機器寿命通知手段を有することを特徴とする。
【発明の効果】
【００１５】
本発明によれば、遠隔監視制御システムを構成する負荷制御端末器、負荷を所定の期間、使用することによって生ずる経年劣化が検出されたことに応じて、消耗部材の寿命に到達する前段において、遠隔監視制御システムの利用制限を確実に実行することができる。
【００１６】
また、本発明によれば、開閉回数、動作時間といった負荷制御端末器の経年劣化を示す情報、負荷制御端末器に接続された負荷の経年劣化を示す情報が、遠隔監視制御システムの上位装置に通知されるため、システム管理者に対して適切なメンテナンス時期を提示することができる。
【００１７】
また、本発明によれば、遠隔監視制御システムを構成する負荷制御端末器の開閉機構近傍の温度が所定の温度を超えたことに応じて、遠隔監視制御システムの利用制限を確実に実行することができる。
【００１８】
また、本発明よれば、負荷制御端末器の開閉機構近傍の温度上昇により、負荷を制御する機能が全て停止され、負荷制御端末器の開閉機構、負荷制御端末器によって制御される負荷の寿命であることが遠隔監視制御システムの上位装置に通知されるため、システム管理者に対して適切なメンテナンス時期を提示することができる。
【００１９】
また、本発明によれば、負荷制御端末器の設置される場所による影響を考慮した厳密な制御処理を実現することができる。
【発明を実施するための最良の形態】
【００２０】
以下、本発明の実施の形態について図面を参照して説明する。
【００２１】
まず、図１を用いて、本発明の実施の形態として示す遠隔監視制御システムについて説明をする。図１に示すように、遠隔監視制御システムは、伝送ユニット１０と、複数の多重伝送スイッチ端末器１１と、負荷である照明器具１３が接続され、この負荷を制御する複数のリレー端末器１２（ターミナルユニット付き）と、インターフェース装置２０とが２線式の信号線Ｌｓを介して接続されてなる。
【００２２】
このような、遠隔監視制御システムは、以下に示すようなフォーマットの信号を伝送することで負荷に対する所望の制御を実現する。
【００２３】
伝送ユニット１０は信号線Ｌｓに対して、図２（ａ）に示すフォーマットの伝送信号Ｖｓを送出する。図２（ａ）に示すように、伝送信号Ｖｓは、信号の送出開始を示すスタートパルスＳＴ、信号のモードを示すモードデータＭＤ、各端末器を個別に認識するためのアドレスデータＡＤ、照明器具１３などの負荷を制御する制御データＣＤ、伝送誤りを検出するためのチェックサムデータＣＳ、各端末器からの返送信号（監視データ）を受信するタイムスロットである信号返送期間ＷＴよりなる双極性（±２４Ｖ）の時分割多重信号である。このようなフォーマットの伝送信号Ｖｓは、図２（ｂ）に示すように、パルス幅変調によって変調されて伝送される。
【００２４】
多重伝送スイッチ端末器１１、リレー端末器１２は、信号線Ｌｓを介して受信された伝送信号Ｖｓに含まれるアドレスデータＡＤが自己のアドレスと一致したときに、その伝送信号Ｖｓの制御データＣＤを取り込むと共に、伝送信号Ｖｓの信号返送期間ＷＴに同期して監視データを電流モード信号（信号線Ｌｓの線間を適当な低インピーダンスを介して短絡して送出される信号）として返送する。
【００２５】
伝送ユニット１０は、図示しないダミー信号送信部と、割り込み処理部とを備えている。ダミー信号送信部は、モードデータＭＤをダミーモードとしてアドレスデータＡＤをサイクリックに変えた伝送信号Ｖｓを常時送出する常時ポーリングを実行する。一方、割り込み処理部は、ダミーモードの伝送信号ＶｓのスタートパルスＳＴに同期して、多重伝送スイッチ端末器１１から図２（ｃ）に示すような割り込み信号Ｖｉが発生した時に、割り込み信号Ｖｉを発生した多重伝送スイッチ端末器１１へアクセスして監視データを返送させる。
【００２６】
伝送ユニット１０は、返送されたこの監視データに基づいて、対応する負荷を制御するリレー端末器１２への制御データＣＤを生成すると共に、その制御データＣＤを信号線Ｌｓを介して時分割多重伝送することで、所望の負荷である照明器具１３の消灯、点灯を制御する。
【００２７】
例えば、多重伝送スイッチ端末器１１の操作スイッチ１１ａが操作されオン状態、又はオフ状態となると、割り込み信号Ｖｉが信号線Ｌｓに送出される。
【００２８】
伝送ユニット１０は、この割り込み信号Ｖｉに応じて、割り込みをかけた多重伝送スイッチ端末器１１のアドレスをサーチするための伝送信号Ｖｓを送出する。割り込みをかけた多重伝送スイッチ端末器１１は、伝送ユニット１０によりアクセスされた場合に、自己の固有アドレスを監視データとして返信する。
【００２９】
この監視データを受け取った伝送ユニット１０は、割り込みをかけた多重伝送スイッチ端末器１１を判定して、次に当該多重伝送スイッチ端末器１１のアドレスデータＡＤを持つ伝送信号Ｖｓを送出してアクセスをし、操作スイッチ１１ａを操作したことに応じた操作データと、操作スイッチ１１ａに割り当てられているアドレスデータとを監視データとして返送させる。
【００３０】
伝送ユニット１０は、この監視データとして返送された多重伝送スイッチ端末器１１の操作データに基づいて制御データＣＤを生成すると共に、同じく監視データとして返送されたアドレスデータに基づいて、あらかじめこのアドレスデータと対応付けて記憶されているテーブルを参照して、制御対象となる照明器具１３に接続されたリレー端末器１２へ制御データＣＤを届けるためのアドレスデータＡＤを取得する。
【００３１】
伝送ユニット１０は、このようにして生成した制御データＣＤと、取得したアドレスデータＡＤを含む伝送信号Ｖｓを、信号線Ｌｓを介して時分割多重伝送する。この伝送信号ＶｓのアドレスデータＡＤで特定されるリレー端末器１２は、同じく伝送信号Ｖｓの制御データＣＤに基づき、多重伝送スイッチ端末器１１の操作により指定された照明器具１３の点灯、消灯を制御する。
【００３２】
図１に示す信号線Ｌｓに接続されたインターフェース装置２０は、図示しないが信号線Ｌｓとの接続インターフェースである伝送信号端子の他に、配線のトポロジーが自由な通信ネットワーク網２１、例えば、イーサネット（Ethernet：登録商標）や、ＬＯＮ（Local Operating Network：登録商標）との接続インターフェースを備え、通信ネットワーク網２１に応じた所定の通信プロトコルにて監視装置２２とデータ通信することができる。この監視装置２２は、インターフェース装置２０を介して接続された遠隔監視制御システムの上位装置（ホスト）として機能する。
【００３３】
インターフェース装置２０は、通信ネットワーク網２１を介して接続された監視装置２２からの命令要求に応じて送信される制御信号を、信号線Ｌｓを介して伝送ユニット１０に送信する。制御信号を受信した伝送ユニット１０は、この制御信号をリレー端末器１２に送信する。そして、リレー端末器１２は、受信した制御信号に応じて遠隔監視制御システムの負荷である照明器具１３を制御することになる。
【００３４】
具体的には、監視装置２２は、リレー端末器１２から、伝送ユニット１０、インターフェース装置２０を介して送信される当該リレー端末器１２の経年劣化を示す情報、リレー端末器１２に接続された負荷である照明器具１３の経年劣化を示す情報のいずれか一方が、それぞれに対応した所定の値を超えたことに応じて、リレー端末器１２の負荷を制御する機能を停止させるよう指示する機能停止信号を生成して、インターフェース装置２０、伝送ユニット１０を介して、リレー端末器１２に送信する。
【００３５】
続いて、図３を用いて、リレー端末器１２の構成について説明をする。図３に示すように、リレー端末器１２は、信号線Ｌｓと接続される多重伝送信号端子３１と、当該リレー端末器１２に電源を供給する電源回路３２と、多重伝送信号端子３１を介して信号線Ｌｓに接続された伝送ユニット１０と伝送信号の送受信を行う多重伝送信号送受信部３３と、ディップスイッチやアドレス設定器によってなされるアドレスの設定要求に応じて固有のアドレスを設定するアドレス設定部３４と、負荷制御用出力端子３７に接続される照明器具のオン、オフを行うリレー３６と、リレー３６を制御するリレー駆動回路３５と、リレー３６のリレー接点の状態を監視するリレー接点モニター回路３８と、当該リレー端末器１２を統括的に制御する信号処理用ＣＰＵ３９とを備えている。
【００３６】
信号処理用ＣＰＵ３９は、リレー端末器１２の経年劣化を示す情報として、リレー接点モニター回路３８で監視されているリレー接点の状態からリレー３６の開閉回数を計測する。また、信号処理用ＣＰＵ３９は、リレー端末器１２に接続された負荷である照明器具１３の経年劣化を示す情報として、リレー駆動回路３５によってリレー３６を制御して照明器具をオン状態とする動作時間を計測する。
【００３７】
信号処理用ＣＰＵ３９は、上述した開閉回数、動作時間を所定のタイミングで伝送ユニット１０、インターフェース装置２０を介して監視装置２２へと送信する。信号処理用ＣＰＵ３９は、必ずしも開閉回数、動作時間をともに送信するのではなく、少なくともいずれか一方を送信する。
【００３８】
監視装置２２は、リレー端末器１２から送信される開閉回数、動作時間が、それぞれに対応した所定の値を超えるかどうかを監視し、いずれか一方でも超えたことに応じて、機能停止信号を生成する。生成された機能停止信号は、リレー端末器１２の信号処理用ＣＰＵ３９へと送信され、信号処理用ＣＰＵ３９によって、当該リレー端末器１２に接続された負荷を制御する機能を全て停止させる。この機能停止信号が解除されるのは、同じく監視装置２２から送信される機能停止解除信号を、リレー端末器１２の信号処理用ＣＰＵ３９が受信した場合だけである。
【００３９】
したがって、遠隔監視制御システムに対してローカルに接続されたスイッチにより照明器具１３を制御できる構成となっていた場合であっても、遠隔監視制御システムを構成するリレー端末器１２、負荷である照明器具１３を所定の期間、使用することによって生ずる経年劣化が検出されたことに応じて、消耗部材の寿命に到達する前段において、遠隔監視制御システムの利用制限を確実に実行することができる。
【００４０】
また、開閉回数、動作時間といったリレー端末器１２の経年劣化を示す情報、リレー端末器１２に接続された負荷である照明器具１３の経年劣化を示す情報は、遠隔監視制御システムの上位装置である監視装置２２に通知されるため、システム管理者に対して適切なメンテナンス時期を提示することができる。
【００４１】
上述した説明では、監視装置２２によって、開閉回数、動作時間といったリレー端末器１２の経年劣化を示す情報、リレー端末器１２に接続された負荷である照明器具の経年劣化を示す情報を上位装置である監視装置２２に通知し、監視装置２２によってリレー端末器１２に接続された負荷を制御する機能を停止させるようにしていたが、リレー端末器１２の信号処理用ＣＰＵ３９自身で行うようにしてもよい。
【００４２】
この場合、信号処理用ＣＰＵ３９は、開閉回数、動作時間が、それぞれに対応した所定の値を超えるかどうかを監視し、いずれか一方でも超えたことに応じて、負荷を制御する機能を全て停止させる。信号処理用ＣＰＵ３９は、負荷を制御する機能を全て停止させるよう制御した場合、リレー端末器１２のリレー３６、リレー端末器１２によって制御される負荷である照明器具１３の寿命であることを、伝送ユニット１０、インターフェース装置２０を介して監視装置２２に通知する。
【００４３】
このように、信号処理用ＣＰＵ３９、つまりリレー端末器１２自身で経年劣化に応じた機能停止処理を実行した場合も、機能停止を解除するには、監視装置２２から送信される機能停止解除信号を、リレー端末器１２の信号処理用ＣＰＵ３９で受信した場合だけである。
【００４４】
したがって、遠隔監視制御システムに対してローカルに接続されたスイッチにより照明器具１３を制御できる構成となっていた場合であっても、遠隔監視制御システムを構成するリレー端末器１２、負荷である照明器具１３を所定の期間、使用することによって生ずる経年劣化が検出されたことに応じて、消耗部材の寿命に到達する前段において、遠隔監視制御システムの利用制限を確実に実行することができる。
【００４５】
また、リレー端末器１２の経年劣化、リレー端末器１２に接続された負荷である照明器具１３の経年劣化により、負荷を制御する機能が全て停止され、リレー端末器１２のリレー３６、リレー端末器１２によって制御される負荷である照明器具１３の寿命であることが遠隔監視制御システムの上位装置である監視装置２２に通知されるため、システム管理者に対して適切なメンテナンス時期を提示することができる。
【００４６】
続いて、リレー端末器１２のリレー３６近傍において所定温度以上となる温度上昇に対応した制御処理について説明をする。リレー端末器１２のリレー３６近傍の温度は、リレー３６の経年劣化による溶着、過負荷使用や偶発的な事故などによって、機器動作の保証範囲外まで温度上昇してしまう場合がある。このように、温度上昇してしまった場合に、メンテナンスなどを施すことなく継続して遠隔監視制御システムを使用し続けると、火災や致命的な故障などの原因となってしまう虞がある。
【００４７】
そこで、図４に示すように、リレー端末器１２に、リレー３６の近傍の温度を測定するリレー近傍温度センサ４１を設置し、信号処理用ＣＰＵ３９で、このリレー３６近傍の温度を監視することで、上述したような問題を回避するような制御を実現することができる。リレー近傍温度センサ４１は、例えば、図５に示すように、基板５０上に設置されたリレー３６の端子部３６Ａの温度を測定することができるように設置される。リレー近傍温度センサ４１で検出されたリレー３６近傍の温度は、信号処理用ＣＰＵ３９に入力される。
【００４８】
これに応じて、信号処理用ＣＰＵ３９は、リレー近傍温度センサ４１で検出された温度が、所定の値を超えるかどうかを監視し、所定の値を超えたことに応じて、負荷を制御する機能を全て停止させる。信号処理用ＣＰＵ３９は、負荷を制御する機能を全て停止させるよう制御した場合、リレー端末器１２のリレー３６、リレー端末器１２によって制御される負荷である照明器具１３の寿命であることを、伝送ユニット１０、インターフェース装置２０を介して監視装置２２に通知する。
【００４９】
このように、信号処理用ＣＰＵ３９、つまりリレー端末器１２自身でリレー３６近傍の温度上昇に応じて機能停止処理を実行した場合も、機能停止を解除するには、監視装置２２から送信される機能停止解除信号を、リレー端末器１２の信号処理用ＣＰＵ３９で受信した場合だけである。
【００５０】
したがって、遠隔監視制御システムに対してローカルに接続されたスイッチにより照明器具１３を制御できる構成となっていた場合であっても、遠隔監視制御システムを構成するリレー端末器１２のリレー３６近傍の温度が所定の温度を超えたことに応じて、遠隔監視制御システムの利用制限を確実に実行することができる。
【００５１】
また、リレー端末器１２のリレー３６近傍の温度上昇により、負荷を制御する機能が全て停止され、リレー端末器１２のリレー３６、リレー端末器１２によって制御される負荷の寿命であることが遠隔監視制御システムの上位装置である監視装置２２に通知されるため、システム管理者に対して適切なメンテナンス時期を提示することができる。
【００５２】
また、図６に示すように、リレー端末器１２に、当該リレー端末器１２が設置されている場所の雰囲気温度を検出する雰囲気温度センサ４２を設けることで、リレー端末器１２の設置される場所による影響を考慮したより厳密な制御処理を実現することができる。雰囲気温度センサ４２は、できるだけ、リレー３６近傍から離して設置する。雰囲気温度センサ４２によって検出された雰囲気温度は、信号処理用ＣＰＵ３９に入力される。
【００５３】
信号処理用ＣＰＵ３９は、この雰囲気温度と、リレー近傍温度センサ４１によって検出されるリレー３６近傍の温度との温度差を算出し、算出した温度差が所定の値を超えたことに応じて、負荷を制御する機能を全て停止させるように制御する。
【００５４】
これにより、リレー端末器１２の設置される場所による影響を考慮した厳密な制御処理を実現することができる。
【００５５】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００５６】
【図１】本発明の実施の形態として示す遠隔監視制御システムの構成について説明するための図である。
【図２】前記遠隔監視制御システムにおいて伝送される伝送信号のフォーマットについて説明するための図である。
【図３】前記遠隔監視制御システムのリレー端末器の構成について説明するための図である。
【図４】前記遠隔監視制御システムのリレー端末器の別な構成について説明するための図である。
【図５】前記リレー端末器に設置するリレー近傍温度センサの設置位置について説明するための図である。
【図６】前記遠隔監視制御システムのリレー端末器のさらに別な構成について説明するための図である。
【符号の説明】
【００５７】
１０  伝送ユニット
１１  多重伝送スイッチ端末器
１２  リレー端末器
１３  照明器具
２０  インターフェース装置
２１  通信ネットワーク網
２２  監視装置
３５  リレー駆動回路
３６  リレー
３６Ａ  端子部
３８  リレー接点モニター回路
３９  信号処理用ＣＰＵ
４１  リレー近傍温度センサ
４２  雰囲気温度センサ
【図１】
0004888378.tif 000002
【図２】
0004888378.tif 000003
【図３】
0004888378.tif 000004
【図４】
0004888378.tif 000005
【図５】
0004888378.tif 000006
【図６】
0004888378.tif 000007